(57)【特許請求の範囲】
【請求項１】
上下面、前後面及び両側面で構成される六面体状で、かつ内部に薄葉紙積層体が収納される薄葉紙収納箱であって、
前記両側面の少なくとも一方は、
前記前面から延出し、当該前面との境界線で山折りされた横フラップと、
前記上面から延出し、当該上面との境界線で前記横フラップ上に山折りされた上フラップと、を有し、
前記上フラップを前記上面との境界線を軸に上片として引き上げると、前記側面が開口し、少なくともこの開口時においては、前記下面から延出し、当該下面との境界線で前記横フラップ上に山折りされた下フラップを有さない構成とされている、
ことを特徴とする薄葉紙収納箱。
【請求項２】
前記後面から延出し、当該後面との境界線で山折りされた第２の横フラップを有し、
この第２の横フラップ上に前記上フラップが山折りされている、
請求項１記載の薄葉紙収納箱。
【請求項３】
前記上フラップの下端部が前記下面まで達し、
当該上フラップの下端部、又は、前記下面の当該上フラップの下端部と隣接する部位に、指差込口形成用の切断補助線が形成され、
前記指差込口に指を差し込んで前記上フラップを上片として引き上げると、前記側面が開口する構成とされている、
請求項１又は請求項２記載の薄葉紙収納箱。
【請求項４】
前記下面から延出し、当該下面との境界線に沿って切離し用の切断補助線が形成され、かつ当該境界線で前記横フラップ上に山折りされた下フラップを有し、
この下フラップの上に、前記上フラップの下端部が接合され、
前記下フラップの下端部、又は、前記下面の当該下フラップの下端部と隣接する部位に、指差込口形成用の切断補助線が形成されており、
前記指差込口に指を差し込んで前記下フラップを引き上げると、当該下フラップが、前記下面から前記切離し用の切断補助線で切断されて、前記上フラップとともに上片として引き上げられ、前記側面が開口する構成とされている、
請求項１又は請求項２記載の薄葉紙収納箱。
【請求項５】
前記横フラップと前記前後面との境界線に沿う切離し用の切断補助線が形成されており、
前記横フラップが、前記前後面から前記切離し用の切断補助線で切断されて、前記上片として引き上げられる構成とされている、
請求項３又は請求項４記載の薄葉紙収納箱。
【請求項６】
折り曲げ処理、及び、接合処理を施すと、請求項１〜５のいずれか１項に記載の薄葉紙収納箱が形成される、
ことを特徴とする薄葉紙収納箱用の厚紙。
【請求項７】
請求項１〜５のいずれか１項に記載の薄葉紙収納箱が、上下に積層された状態でフィルム包装されている、
ことを特徴とする薄葉紙収納箱の積層品。
【発明の詳細な説明】
【技術分野】
【０００１】
本発明は、薄葉紙収納箱、薄葉紙収納箱用の厚紙、及び、薄葉紙収納箱の積層品に関するものである。特に、内部に収納された薄葉紙積層体を、他の薄葉紙収納箱に詰め替える場合に好適な形態に関するものである。
【背景技術】
【０００２】
現在、ティシュペーパー等の薄葉紙は、積層された状態で、天面に取出口が形成された六面体状の紙箱に収納され、例えば、ボックスティシュなどと呼ばれて市販化される。この種の薄葉紙収納箱としては、取出口から薄葉紙が１枚ずつ引き出され、内部の薄葉紙が全て引き出された後に、折り畳むことができる構造のものがある（例えば、特許文献１参照。）。
【０００３】
しかしながら、例えば、ホテル等においては、新たな宿泊客に対して、内部に薄葉紙が残った使いかけの薄葉紙収納箱を提供するのは好ましくない。また、１，２泊程度では、通常、それほど内部の薄葉紙が減らないため、毎回新しい薄葉紙収納箱を提供するのは、コスト、環境の面から好ましくない。したがって、上記薄葉紙収納箱を、そのままでは使用することができないのが現状である。
【０００４】
そこで、現在は、例えば、プラスチックなどからなる薄葉紙収納箱を用意し（例えば、特許文献２参照。）、宿泊客がチェックアウトした後に、当該収納箱内に残った薄葉紙を取り除き、新たに通常よりも積層枚数が減らされた薄葉紙積層体を収納するといった詰替え作業が行われている。
【０００５】
そして、かかる詰替え用の薄葉紙積層体は、例えば、樹脂フィルム、紙等で形成された袋状、帯状の包装材や、紐、ゴム、テープなどによって束ねられた状態で、保存、搬送等がされる（例えば、特許文献３参照。）。
【０００６】
しかしながら、近年では、積層された薄葉紙が、保存、搬送等の過程において、折れ曲ったり、破損したりすることのないよう、詰替え用の薄葉紙積層体を内部に収納することができる厚紙などで形成された薄葉紙収納箱の開発が検討されている。
【０００７】
もちろん、前述した従来の薄葉紙収納箱（紙箱）を、そのまま利用することも考えられる。しかしながら、従来の薄葉紙収納箱は、積層された薄葉紙を１枚ずつ取り出すことを前提として設計されており、一体として取り出すことを前提に設計されていないため、薄葉紙積層体を収納箱内から取り出すのに時間がかかり、包装材やゴムなどによって束ねた現在の形態と比べて極端に詰替え作業の効率が悪くなる。
【特許文献１】特開２００６−３４１９２５号公報
【特許文献２】特開２００２−２１１６６２号公報
【特許文献３】特開２０００−３３９７８号公報
【発明の開示】
【発明が解決しようとする課題】
【０００８】
本発明が解決しようとする主たる課題は、内部に収納される薄葉紙積層体を一体として簡単に取り出すことができる薄葉紙収納箱、薄葉紙収納箱用の厚紙、及び、薄葉紙収納箱の積層品を提供することにある。
【課題を解決するための手段】
【０００９】
この課題を解決した本発明は、次のとおりである。
〔請求項１記載の発明〕
上下面、前後面及び両側面で構成される六面体状で、かつ内部に薄葉紙積層体が収納される薄葉紙収納箱であって、
前記両側面の少なくとも一方は、
前記前面から延出し、当該前面との境界線で山折りされた横フラップと、
前記上面から延出し、当該上面との境界線で前記横フラップ上に山折りされた上フラップと、を有し、
前記上フラップを前記上面との境界線を軸に上片として引き上げると、前記側面が開口し、少なくともこの開口時においては、前記下面から延出し、当該下面との境界線で前記横フラップ上に山折りされた下フラップを有さない構成とされている、
ことを特徴とする薄葉紙収納箱。
【００１０】
〔請求項２記載の発明〕
前記後面から延出し、当該後面との境界線で山折りされた第２の横フラップを有し、
この第２の横フラップ上に前記上フラップが山折りされている、
請求項１記載の薄葉紙収納箱。
【００１１】
〔請求項３記載の発明〕
前記上フラップの下端部が前記下面まで達し、
当該上フラップの下端部、又は、前記下面の当該上フラップの下端部と隣接する部位に、指差込口形成用の切断補助線が形成され、
前記指差込口に指を差し込んで前記上フラップを上片として引き上げると、前記側面が開口する構成とされている、
請求項１又は請求項２記載の薄葉紙収納箱。
【００１２】
〔請求項４記載の発明〕
前記下面から延出し、当該下面との境界線に沿って切離し用の切断補助線が形成され、かつ当該境界線で前記横フラップ上に山折りされた下フラップを有し、
この下フラップの上に、前記上フラップの下端部が接合され、
前記下フラップの下端部、又は、前記下面の当該下フラップの下端部と隣接する部位に、指差込口形成用の切断補助線が形成されており、
前記指差込口に指を差し込んで前記下フラップを引き上げると、当該下フラップが、前記下面から前記切離し用の切断補助線で切断されて、前記上フラップとともに上片として引き上げられ、前記側面が開口する構成とされている、
請求項１又は請求項２記載の薄葉紙収納箱。
【００１３】
〔請求項５記載の発明〕
前記横フラップと前記前後面との境界線に沿う切離し用の切断補助線が形成されており、
前記横フラップが、前記前後面から前記切離し用の切断補助線で切断されて、前記上片として引き上げられる構成とされている、
請求項３又は請求項４記載の薄葉紙収納箱。
【００１４】
〔請求項６記載の発明〕
折り曲げ処理、及び、接合処理を施すと、請求項１〜５のいずれか１項に記載の薄葉紙収納箱が形成される、
ことを特徴とする薄葉紙収納箱用の厚紙。
【００１５】
〔請求項７記載の発明〕
請求項１〜５のいずれか１項に記載の薄葉紙収納箱が、上下に積層された状態でフィルム包装されている、
ことを特徴とする薄葉紙収納箱の積層品。
【発明の効果】
【００１６】
本発明によると、内部に収納される薄葉紙積層体を一体として簡単に取り出すことができる薄葉紙収納箱、薄葉紙収納箱用の厚紙、及び、薄葉紙収納箱の積層品となる。
【発明を実施するための最良の形態】
【００１７】
次に、本発明の実施の形態を説明する。
〔第１の形態〕
図１に本形態の薄葉紙収納箱１０を、図２にその展開状態である薄葉紙収納箱１０用の厚紙１０´を示した。
本形態の厚紙１０´は、図２に示すように、それぞれが略長方形状の前面１３、上面１１、後面１４、及び、下面１２がこの順に相互に隣接して並び、かつ、相互に隣接する各面１１，１２，１３，１４の境界線で山折りすることができるものである。前面１３の長手方向一方端部、図示例では両方端部からは、それぞれ略長方形状の横フラップ２２が延出する。この横フラップ２２は、前面１３との境界線Ｌ１で山折りすることができる。同様に、上面１１の長手方向一方端部、図示例では両方端部からは、それぞれ略長方形状の上フラップ２１が延出する。この上フラップ２１も、上面１１との境界線Ｌ２で山折りすることができる。下面１２の短手方向一方端部からは、糊代１２Ａが延出する。
【００１８】
従来の薄葉紙収納箱は、天面（１１，１２）に、ミシン目や、半スリット等からなる取出口形成用の切断補助線が形成されていた。この切断補助線に沿って天面を裂開することで、取出口が形成され、この取出口から収納された薄葉紙を１枚ずつ取り出すことができる。しかしながら、本形態の厚紙１０´は、これを組み立ててなる薄葉紙収納箱１０が、収納された薄葉紙を１枚ずつ取り出す従来の用途で使用されるものではない。したがって、製造コスト削減、薄葉紙収納箱１０の強度向上等の観点から、上面１１や下面１２等に、取出口形成用の切断補助線が形成されていない方が好ましい。
【００１９】
本形態の厚紙１０´は、相互に隣接する各面１１，１２，１３，１４の境界線や、境界線Ｌ１，Ｌ２で山折りされ（折り曲げ処理）、また、糊代１２Ａが前面１３の裏面に接着剤等によって接合される（接合処理）などして、薄葉紙収納箱１０となるように組み立てられる。この薄葉紙収納箱１０は、図１に示すように、上下面１１，１２、前後面１３，１４、及び、両側面２０，２０で構成される六面体状で、かつ、内部に図示しない薄葉紙積層体（積層された薄葉紙）が収納される。
【００２０】
なお、本明細書において、「上」，「下」との文言や、「前」，「後」との文言は、単に「一方」，「他方」を意味し、例えば、使用状態や搬送状態等において、「上」であることや、「下」であること、「前」であること、「後」であることまでの意味を含むものではない。
【００２１】
本形態の薄葉紙収納箱１０は、両側面２０の少なくとも一方が、図示例では両方が、前面１３から延出し、当該前面１３との境界線Ｌ１で山折りされた横フラップ２２と、上面１１から延出し、当該上面１１との境界線Ｌ２で山折りされた上フラップ２１と、を有する。この上フラップ２１は、横フラップ２２上に（横フラップ２２の上端部を覆うように）山折りされ、通常、この横フラップ２２に対して接着剤等によって接合される。
【００２２】
更に側面２０は、下面１２から延出し、当該下面１２との境界線で横フラップ２２上に山折りされる下フラップを有さず、横フラップ２２及び上フラップ２１で塞がれない間隙２９を有する。この間隙２９に指を差し込み、上フラップ２１を上面１１との境界線Ｌ２を軸に上片として引き上げると、図３に示すように、側面２０が開口する。したがって、この開口３０から、薄葉紙収納箱１０の内部に収納された図示しない薄葉紙積層体を一体として（積層状態のまま）取り出すことができる。
【００２３】
特に、本形態においては、下面１２から延出し、当該下面１２との境界線で横フラップ２２上に山折りされた下フラップを有しないため、この開口時においても当該下フラップが存在しない。したがって、薄葉紙収納箱１０を、例えば、開口３０側に傾ける等するのみでも、薄葉紙積層体を取り出すことができ、薄葉紙積層体を一体として取り出すに簡易である。しかも、この取出しに際して、薄葉紙積層体が崩れたり、あるいは薄葉紙積層体を構成する一部の薄葉紙が折れ曲ったり、破れたりするおそれもない。この点、側面２０の開口時において横フラップ２２上に山折りされた下フラップが存在すると、この下フラップと横フラップ２２とが掛合して（通常、横フラップ２２の下側隅部が下フラップの裏面に引っ掛かる。）開口３０の一部が塞がれ、例えば、薄葉紙積層体が崩れるなどして円滑に取り出すための妨げになり、あるいは薄葉紙積層体の一部が横フラップ２２や、下フラップに引っ掛かって折れ曲ったり、破れたりするおそれがある。なお、上フラップ２１は、指で引き上げられるため、横フラップ２２との掛合が防止される。
【００２４】
本形態において、間隙２９の大きさ（広さ）は、横フラップ２２の長さ（延出長）Ｘ、及び、上フラップ２１の長さ（延出長）Ｙを変化させることによって、適宜調節することができる。間隙２９を小さく（狭く）すれば埃等の異物が混入するおそれが減るが、小さくし過ぎると指を差し込み難くなり作業性が低下する。
【００２５】
横フラップ２２の長さＸは、薄葉紙収納箱１０の前後長Ｘ´の１／１．２〜１／５．８であるのが好ましく、１／１．３〜１／１．６であるのがより好ましい。横フラップ２２の長さＸが短過ぎると、異物が混入し易くなるほか、薄葉紙収納箱１０が、特に上下方向に関する圧力に弱くなる。他方、横フラップ２２の長さＸが長過ぎると、異物が混入し難くなるものの、間隙２９が前後方向後方に寄り過ぎてしまう。したがって、上フラップ２１を引き上げる際に、上フラップ２１の後側端部のみに力がかかり、上フラップ２１の引き上げに失敗するおそれがある。
【００２６】
一方、上フラップ２１の長さＹは、薄葉紙収納箱１０の上下長Ｙ´の１／１．２〜１／５．０であるのが好ましく、１／１．５〜１／３．０であるのがより好ましい。上フラップ２１の長さＹが短過ぎると、異物が混入し易くなるほか、薄葉紙収納箱１０が、特に前後方向に関する圧力に弱くなる。他方、上フラップ２１の長さＹが長過ぎると、異物が混入し難くなるものの、間隙２９に指を差し込み難くなり、作業性が低下する。
【００２７】
〔第２の形態〕
図４に本形態の薄葉紙収納箱１０を、図５にその展開状態である薄葉紙収納箱１０用の厚紙１０´を示した。本形態の厚紙１０´、及び、薄葉紙収納箱１０は、前述第１の形態を改良したものであるため、以下、異なる点を中心に説明する。
【００２８】
本形態の厚紙１０´は、図５に示すように、前面１３のほか、後面１４の長手方向一方端部、図示例では両方端部からも、それぞれ略長方形状の横フラップ２２が延出する。この第２の横フラップ２２も、後面１４との境界線Ｌ１で山折りすることができる。
【００２９】
この厚紙１０´を、前述第１の形態と同様に組み立ててなる薄葉紙収納箱１０は、図４に示すように、両側面２０の少なくとも一方が、図示例では両方が、前面１３から延出し、当該前面１３との境界線Ｌ１で山折りされた横フラップ２２と、後面１４から延出し、当該後面１４との境界線Ｌ１で山折りされた横フラップ２２と、上面１１から延出し、当該上面１１との境界線Ｌ２で山折りされた上フラップ２１と、を有する。この上フラップ２１は、２枚の横フラップ２２上に（横フラップ２２の上端部を覆うように）山折りされ、通常、これらの横フラップ２２に対して接着剤等によって接合される。
【００３０】
本形態の薄葉紙収納箱１０は、横フラップ２２を２枚有するため、前述第１の形態の薄葉紙収納箱１０と比較して、特に斜め方向（周面２０の矩形が歪む方向）に関する圧力に強い。ただし、上フラップ２１が、通常、２枚の横フラップ２２に対して接合されるため、上フラップ２１をより簡易に引き上げたい場合は、前述第１の形態による方が好ましい。なお、横フラップ２２を２枚としつつも、その一方にのみ上フラップ２１を接合する形態とすれば、第１の形態と同様に、上フラップ２１を簡易に引き上げることができる。しかしながら、この形態によると、斜め方向に関する圧力が強くならない。
【００３１】
本形態においても、間隙２９の大きさ（広さ）は、２枚の横フラップ２２の長さ（延出長）Ｘ、及び、上フラップ２１の長さ（延出長）Ｙを変化させることによって、適宜調節することができる。間隙２９を小さく（狭く）すれば異物が混入するおそれが減るが、小さくし過ぎると指を差し込み難くなり、作業性が低下するのも同様である。
【００３２】
ただし、本形態においては、横フラップ２２が２枚とされているため、横フラップ２２の長さＸは、薄葉紙収納箱１０の前後長Ｘ´の１／２．４〜１／５．８であるのが好ましく、１／２．５〜１／３．３であるのがより好ましい。横フラップ２２の長さＸが短過ぎると、異物が混入し易くなるほか、薄葉紙収納箱１０が、特に上下方向に関する圧力に弱くなる。他方、横フラップ２２の長さＸが長過ぎると、異物が混入し難くなるものの、間隙２９に指を差し込み難くなり、作業性が低下する。なお、本形態においては、横フラップ２２が２枚とされているため、横フラップ２２の長さＸを長くしても、間隙２９が前後方向一方に寄り過ぎてしまうことはなく、指の差し込み易さを考慮すれば足りることから、上記好ましい長さが異なっている。
【００３３】
〔第３の形態〕
図６に本形態の薄葉紙収納箱１０を、図７にその展開状態である薄葉紙収納箱１０用の厚紙１０´を示した。本形態の厚紙１０´、及び、薄葉紙収納箱１０も、前述第１の形態や前述第２の形態を改良したものであるため、以下、異なる点を中心に説明する。
【００３４】
本形態の厚紙１０´は、図７に示すように、上フラップ２１の長さＹが長くなっている。具体的には、この圧紙１０´を組み立ててなる薄葉紙収納箱１０の状態において、図６に示すように、当該上フラップ２１の下端部（下端縁）が下面１２まで達する長さ、つまり薄葉紙収納箱１０の上下長Ｙ´と同じ長さになっている。この形態においては、周面２０に、第１，第２の形態のような間隙２９が存在しないため、異物が混入し難くなる。
【００３５】
もっとも、このように周面２０に間隙２９が存在しないと、間隙２９に指を差し込んで上フラップ２１を引き上げることができないため、作業性が低下する。そこで、本形態の厚紙１０´は、図７に示すように、上フラップ２１の境界線Ｌ２とは反対側の端部に、指差込口形成用の切断補助線２３が形成されている。この切断補助線２３は、例えば、ミシン目や、半スリット等からなり、上フラップ２１の延出方向に沿う２本の平行線とされている。したがって、圧紙１０´を組み立ててなる薄葉紙収納箱１０の状態において、上フラップ２１の下端部に存在する当該２本の切断補助線２３間の部位（指差込部）２３Ａを押せば、上フラップ２１が切断補助線２３に沿って裂開し、図８に示すように、指差込口が形成される。この指差込口に指を差し込み、上フラップ２１を上片として引き上げることで、図９に示すように、周面２０を容易に開口することができる。
【００３６】
本形態においては、間隙２９が存在しないため、この間隙２９の大きさを調節するという観点からは、横フラップ２２の長さＸを変化させる必要はない。しかしながら、横フラップ２２の長さＸは、薄葉紙収納箱１０の前後長Ｘ´の１／２．４〜１／５．８であるのが好ましく、１／２．５〜１／３．３であるのがより好ましい。横フラップ２２の長さＸが短過ぎると、薄葉紙収納箱１０が、特に上下方向に関する圧力に弱くなる。他方、横フラップ２２の長さＸが長過ぎると、当該横フラップ２２と上フラップ２１との接合面積が広くなり過ぎるため、上フラップ２１を引き上げ難くなり、作業性が低下する。もちろん、当該接合面積のみを狭くして引き上げ易くすることもできるが、接合面積のみを狭くすると、横フラップ２２の長さＸを長くしても上下方向に関する圧力が強くならず、横フラップ２２の長さＸを長くする分だけ材料の無駄となる。
【００３７】
〔第４の形態〕
図１０に本形態の薄葉紙収納箱１０を、図１１にその展開状態である薄葉紙収納箱１０用の厚紙１０´を示した。本形態の厚紙１０´、及び、薄葉紙収納箱１０は、前述第３の形態を改良したものであるため、以下、異なる点を中心に説明する。
【００３８】
本形態の薄葉紙収納箱１０も、図１０に示すように、上フラップ２１の下端部が下面１２まで達する長さになっており、間隙２９に指を差し込んで上フラップ２１を引き上げることができない形態になっている。
【００３９】
そこで、本形態の厚紙１０´は、図１１に示すように、下面１２の長手方向一方端部、図示例では両方端部に、指差込口形成用の切断補助線２４が形成されている。この切断補助線２４は、例えば、ミシン目や、半スリット等からなり、長手方向に沿う２本の平行線と、これらを繋ぐ円弧とで構成されている。したがって、圧紙１０´を組み立ててなる薄葉紙収納箱１０の状態において、下面１２の上フラップ２１の下端部と隣接する部位に存在する当該切断補助線２４で囲まれる部位（指差込部）２４Ａを押せば、下面１２が切断補助線２４に沿って裂開し、指差込口が形成される。この指差込口に指を差し込み、指を若干手前に引くような状態で上フラップ２１を上片として引き上げれば、容易に側面２０が開口する。
【００４０】
本形態においても、横フラップ２２の長さを変化させることができる点は、第３の形態と同様である。ただし、第３の形態においては、上フラップ２１に形成された指差込部２３Ａを押し込むことができるよう、横フラップ２２の長さＸに限界が存在した。これに対し、本形態においては、指差込部２４Ａが下面１２に形成されているため、かかる限界が存在しない。
【００４１】
〔第５の形態〕
図１２に本形態の薄葉紙収納箱１０を、図１３にその展開状態である薄葉紙収納箱１０用の厚紙１０´を示した。本形態の厚紙１０´、及び、薄葉紙収納箱１０は、前述第４の形態を改良したものであるため、以下、異なる点を中心に説明する。
【００４２】
本形態の厚紙１０´は、図１３に示すように、下面１２の長手方向一方端部、図示例では両方端部から略長方形状の下フラップ２８が延出する。この下フラップ２８は、下面１２との境界線Ｌ２で山折りすることができる。
【００４３】
本形態においては、下フラップ２８と下面１２との境界線Ｌ２に沿って、前後方向中央部を除き、ミシン目や、半スリット等からなる切離し用の切断補助線２６が形成されている。加えて、下面１２の長手方向一方端部、図示例では両方端部には、長手方向に沿う２本の平行線と、これらを繋ぐ円弧とで構成されたミシン目や、半スリット等からなる指差込口形成用の切断補助線２５が形成されている。この指差込口形成用の切断補助線２５は、下面１２の前後方向中央部に形成されており、切離し用の切断補助線２６と連続する。
【００４４】
この厚紙１０´を組み立ててなる薄葉紙収納箱１０は、図１２に示すように、両側面２０の少なくとも一方が、図示例では両方が、前面１３から延出し、当該前面１３との境界線Ｌ１で山折りされた横フラップ２２と、後面１４から延出し、当該後面１４との境界線Ｌ１で山折りされた横フラップ２２と、上面１１から延出し、当該上面１１との境界線Ｌ２で山折りされた上フラップ２１と、下面１２から延出し、当該下面１２との境界線Ｌ２で山折りされた下フラップ２８と、を有する。この形態においては、２枚の横フラップ２２上に下フラップ２８が山折りされ、更にこれらの上から上フラップ２１が山折りされている。下フラップ２８は、２枚の横フラップ２２に対して接着剤等によって接合され、上フラップ２１は、当該２枚の横フラップ２２に対して接着剤等によって接合されるとともに、その下端部が下フラップ２８上に接着剤等によって接合されている。
【００４５】
なお、この薄葉紙収納箱１０とされた状態において、指差込口形成用の切断補助線２５は、下面１２の当該下フラップ２８の下端部と隣接する部位に、位置する。
【００４６】
この形態においては、指差込口形成用の切断補助線２５で囲まれた部位（指差込部）２５Ａを押せば、下面１２が切断補助線２５に沿って裂開し、指差込口が形成される。したがって、この指差込口に指を差し込んで下フラップ２８を引き上げると、図１４に示すように、下フラップ２８が下面１２から切離し用の切断補助線２６で切断されて、この下フラップ２８がこれに接合された上フラップ２１とともに、上片として引き上げられ、側面２０が開口する。この形態においては、少なくとも側面２０の開口時において、下面１２から延出し、当該下面１２との境界線Ｌ２で横フラップ２２上に山折りされた下フラップ２８を有さない状態となるため、前述当初から下フラップ２８を有さない形態と同様に、薄葉紙積層体を円滑に取り出すことができ、薄葉紙の折れ曲りや、破れも防止される。また、この形態においては、前述第４の形態と異なり、指差込部２５Ａが下フラップ２８と一体のまま上片として引き上げられるため、別ピースとならず、指差込部２５Ａを別途片付ける等の作業が必要とならないとの利点を有する。
【００４７】
本形態の厚紙１０´、及び、薄葉紙収納箱１０においては、指差込口が下面１２に形成されるが、下フラップ２８の下端部に指差込口が形成されてもよい（前述第３の形態参照。ただし、第３の形態においては、上フラップ２１の下端部が下面１２まで達しているため、上フラップ２１の下端部に形成されている。）。
【００４８】
〔第６の形態〕
図１５に本形態の薄葉紙収納箱１０を示した。本形態の薄葉紙収納箱１０、及び、これを組み立てる前の図示しない厚紙１０´は、前述第５の形態を改良したものであるため、以下、異なる点を中心に説明する。
【００４９】
本形態の図示しない厚紙１０´は、前面１３と横フラップ２２との境界線Ｌ１、及び、後面１４と横フラップ２２との境界線Ｌ１に沿って、ミシン目や、半スリット等からなる切離し用の切断補助線が形成されている。したがって、指差込口形成用の切断補助線２５を裂開して形成した指差込口に指を差し込んで下フラップ２８を引き上げると、下フラップ２８が下面１２から切離し用の切断補助線２６で切断されるとともに、２枚の横フラップ２２がそれぞれ前面１３及び後面１４から切離し用の切断補助線で切断されて、この下フラップ２８及び２枚の横フラップ２２が上フラップ２１とともに、上片として引き上げられ、側面２０が開口する。この形態においては、側面２０の開口時において、側面２０を塞ぐものが何もなくなるため、薄葉紙積層体の円滑な取出し、折れ曲り・破損の防止という観点からは、最も優れる。
【００５０】
〔薄葉紙収納箱の積層品〕
以上で説明した薄葉紙収納箱１０は、例えば、第１の形態の場合を例として図１６に示すように、内部に薄葉紙積層体Ｓが収納された状態において上下に複数、図示例では５つ積層された状態で、例えば、ＰＥ、ＰＰ等からなるフィルム１０１で包装して、薄葉紙収納箱の積層品１００とすることができる。この形態によると、トラック等による大量搬送が可能でありながら、包装紙等で薄葉紙を束ねた従来の形態と異なり、薄葉紙の折れ曲りや破損も防止される。また、薄葉紙収納箱１０が、側面２０に間隙２９を有する場合であっても、搬送過程等において、埃等の異物が混入するおそれもない。
【００５１】
〔その他〕
○  以上で説明した側面２０の形態は、薄葉紙積層体を簡易に取り出すことができるようにするという観点からは、一方のみに適用すれば足りる。ただし、通常は、薄葉紙積層体を取り出した後、薄葉紙収納箱１０を折り畳むことになるため、この折り畳みを容易にするという観点からは、両方に適用する方が好ましい。両方に適用した場合は、薄葉紙積層体を取り出すに際して、両側面２０のどちらが取出口となるかを確認する作業が不要となる。
【産業上の利用可能性】
【００５２】
本発明は、内部に収納された薄葉紙積層体を、他の薄葉紙収納箱に詰め替える場合に好適な薄葉紙収納箱、薄葉紙収納箱用の厚紙、及び、薄葉紙収納箱の積層品として、適用可能である。
【図面の簡単な説明】
【００５３】
【図１】第１の形態の薄葉紙収納箱である。
【図２】第１の形態の厚紙である。
【図３】側面開口時の第１の形態の薄葉紙収納箱である。
【図４】第２の形態の薄葉紙収納箱である。
【図５】第２の形態の厚紙である。
【図６】第３の形態の薄葉紙収納箱である。
【図７】第３の形態の厚紙である。
【図８】指差込口形成時の第３の形態の薄葉紙収納箱である。
【図９】側面開口時の第３の形態の薄葉紙収納箱である。
【図１０】第４の形態の薄葉紙収納箱である。
【図１１】第４の形態の厚紙である。
【図１２】第５の形態の薄葉紙収納箱である。
【図１３】第５の形態の厚紙である。
【図１４】側面開口時の第５の形態の薄葉紙収納箱である。
【図１５】側面開口時の第６の形態の薄葉紙収納箱である。
【図１６】薄葉紙収納箱の積層品である。
【符号の説明】
【００５４】
１０…薄葉紙収納箱、１０´…厚紙、１１…上面、１２…下面、１２Ａ…糊代、１３…前面、１４…後面、２０…側面、２１…上フラップ、２２…横フラップ、２３，２４，２５，２６…切断補助線、２８…下フラップ、２９…間隙、３０…開口、１００…薄葉紙収納箱の積層品、Ｌ１，Ｌ２…境界線，Ｓ…薄葉紙積層体。
【図１】
0005162297.tif 000002
【図２】
0005162297.tif 000003
【図３】
0005162297.tif 000004
【図４】
0005162297.tif 000005
【図５】
0005162297.tif 000006
【図６】
0005162297.tif 000007
【図７】
0005162297.tif 000008
【図８】
0005162297.tif 000009
【図９】
0005162297.tif 000010
【図１０】
0005162297.tif 000011
【図１１】
0005162297.tif 000012
【図１２】
0005162297.tif 000013
【図１３】
0005162297.tif 000014
【図１４】
0005162297.tif 000015
【図１５】
0005162297.tif 000016
【図１６】
0005162297.tif 000017